(57)【要約】【課題】回路基板への取付強度が高く且つ構造を簡素化することができるコネクタを提供する。【解決手段】回路基板１０の貫通孔１３を貫通して配置されるコネクタ１において、コネクタ本体２の一部２ｐが貫通孔１３から非実装面１２側へ突出する。一部２ｐに形成された挿入空間Ｓ１に接続部材６が非実装面１２と平行な挿入方向Ｘ１に挿入される。コネクタ本体２に固定され実装面１１に半田付けされる半田付け要素Ｈが、接続部材６と接続される複数のコンタクト３のみで構成される。各コンタクト３が、コネクタ本体２に固定された被固定部３１と、被固定部３１から実装面１１と平行に互いに逆向きに延びる一対のリード部３２，３３とを含む。リード部３２，３３の先端部３２ｂ，３３ｂが、実装面１１において挿入方向Ｘ１に関して貫通孔１３の両側で半田付けされる。【選択図】図５Ａ
2019128984.tif 000002
【特許請求の範囲】
【請求項１】
実装面と前記実装面の反対側の非実装面とを貫通する貫通孔が形成された回路基板における前記貫通孔を貫通して配置されるコネクタであって、
一部が前記貫通孔から前記非実装面側へ突出し、前記一部に、フレキシブルな接続部材が一端側から前記非実装面と平行な挿入方向に挿入される挿入空間が形成された絶縁性のコネクタ本体と、
前記コネクタ本体に固定され且つ前記実装面に半田付けされる半田付け要素と、を備え、
前記半田付け要素が、前記挿入空間に挿入された前記接続部材と接続される複数のコンタクトのみで構成され、
前記複数のコンタクトが、前記挿入方向と直交する幅方向に並んで配置され、
各前記コンタクトが、前記コネクタ本体に固定された被固定部と、前記被固定部から前記実装面と平行に互いに逆向きに延びる一対のリード部と、を含み、
前記一対のリード部の先端部が、前記実装面において前記挿入方向に関して前記貫通孔の両側で半田付けされる、コネクタ。
【請求項２】
前記コネクタ本体に、複数の固定溝が形成され、
各前記固定溝には、対応するコンタクトの被固定部が圧入固定され、
各前記固定溝が、前記対応するコンタクトの被固定部を前記実装面側から前記貫通孔に挿入可能なように、前記実装面と直交する方向に関して前記実装面側に開放されている、請求項１に記載のコネクタ。
【請求項３】
前記回路基板が金属基板を含み、
前記コネクタ本体が、前記被固定部を前記挿入方向に挟んで配置され、互いの間に前記固定溝を形成する一対の第１介在部と、前記一対の第１介在部から前記実装面と平行に互いに逆向きに延びる一対の第２介在部と、を含み、
各前記第１介在部が、前記被固定部と前記貫通孔の内周面との間に介在し、
各前記第２介在部が、対応するリード部と前記実装面における前記貫通孔の縁部との間に介在する、請求項２に記載のコネクタ。
【請求項４】
実装面と前記実装面の反対側の非実装面とを貫通する貫通孔が形成された回路基板における前記貫通孔を貫通して配置されるコネクタであって、
一部が前記貫通孔から前記非実装面側へ突出し、前記一部に、フレキシブルな接続部材が一端側から前記非実装面と平行な挿入方向に挿入される挿入空間が形成された絶縁性のコネクタ本体と、
前記コネクタ本体に固定され且つ前記実装面に半田付けされる半田付け要素と、を備え、  前記半田付け要素が、前記挿入空間に挿入された前記接続部材と接続される複数のコンタクトのみで構成され、
前記複数のコンタクトが、前記挿入方向と直交する幅方向に交互に配置された第１コンタクトと第２コンタクトとを含み、
前記第１コンタクトが、前記コネクタ本体に固定された第１被固定部と、前記第１被固定部から前記挿入方向と平行に延びる第１リード部と、を含み、
前記第２コンタクトが、前記コネクタ本体に固定された第２被固定部と、前記第２被固定部から前記第１リード部とは反対方向に延びる第２リード部と、を含み、
前記第１リード部の先端部と第２リード部の先端部とが、前記実装面において前記挿入方向に関して前記貫通孔の両側に互い違いに半田付けされる、コネクタ。
【請求項５】
前記コネクタ本体は、前記挿入空間に挿入された前記接続部材の一対の側縁に設けられた係合部と係合することにより、前記接続部材が前記挿入方向の反対方向である抜脱方向へ抜脱されることを規制する一対の抜脱規制突起を含み、
前記複数のコンタクトが、各前記抜脱規制突起の前記挿入方向側に配置された一対のコンタクトを含む、請求項１〜４の何れか一項に記載のコネクタ。
【発明の詳細な説明】
【技術分野】
【０００１】
本発明は、コネクタに関する。
【背景技術】
【０００２】
特許文献１で提案されるフレキシブルケーブルコネクタ載置構造では、筐体（コネクタ本体）が、ＰＣＢ（回路基板）の貫通孔を貫通して配置されている。また、フレキシブルケーブルコネクタをＰＣＢに強固に取り付けるために、前記筐体に固定された多数（例えば３０個）のコンタクトの他、前記筐体に固定された複数（例えば７個）の取付釘（補強タブ）が、ＰＣＢの上面（実装面）に半田付けされている。
【先行技術文献】
【特許文献】
【０００３】
【特許文献１】特許第５７３６０７７号公報
【発明の概要】
【発明が解決しようとする課題】
【０００４】
しかしながら、特許文献１では、ＰＣＢに半田付けされる要素として、コンタクトの他に取付釘を用いるため、構造が複雑になる。
本発明の目的は、回路基板への取付強度が高く且つ構造を簡素化することができるコネクタを提供することである。
【課題を解決するための手段】
【０００５】
請求項１に記載の発明は、実装面（１１）と前記実装面の反対側の非実装面（１２）とを貫通する貫通孔（１３）が形成された回路基板（１０）における前記貫通孔を貫通して配置されるコネクタ（１）であって、一部（２ｐ）が前記貫通孔から前記非実装面側へ突出し、前記一部に、フレキシブルな接続部材（６）が一端（６ｅ）側から前記非実装面と平行な挿入方向（Ｘ１）に挿入される挿入空間（Ｓ１）が形成された絶縁性のコネクタ本体（２）と、前記コネクタ本体に固定され且つ前記実装面に半田付けされる半田付け要素（３）と、を備え、前記半田付け要素が、前記挿入空間に挿入された前記接続部材と接続される複数のコンタクト（３）のみで構成され、前記複数のコンタクトが、前記挿入方向と直交する幅方向（Ｗ）に並んで配置され、各前記コンタクトが、前記コネクタ本体に固定された被固定部（３１）と、前記被固定部から前記実装面と平行に互いに逆向きに延びる一対のリード部（３２，３３）と、を含み、前記一対のリード部の先端部（３２ｂ，３３ｂ）が、前記実装面において前記挿入方向に関して前記貫通孔の両側で半田付けされる、コネクタを提供する。
【０００６】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、前記コネクタ本体に、複数の固定溝（２９ａ）が形成され、各前記固定溝には、対応するコンタクトの被固定部が圧入固定され、各前記固定溝が、前記対応するコンタクトの被固定部を前記実装面側から前記貫通孔に挿入可能なように、前記実装面と直交する方向（Ｖ）に関して前記実装面側に開放されていてもよい。
【０００７】
請求項３に記載の発明のように、前記回路基板が金属基板を含み、前記コネクタ本体が、前記被固定部を前記挿入方向に挟んで配置され、互いの間に前記固定溝を形成する一対の第１介在部（７１，８１）と、前記一対の第１介在部から前記実装面と平行に互いに逆向きに延びる一対の第２介在部（７２，８２）と、を含み、各前記第１介在部が、前記被固定部と前記貫通孔の内周面（１３ａ）との間に介在し、各前記第２介在部部が、対応するリード部と前記実装面における前記貫通孔の縁部（１３ｂ）との間に介在してもよい。
【０００８】
請求項４に記載の発明は、実装面と前記実装面の反対側の非実装面とを貫通する貫通孔が形成された回路基板における前記貫通孔を貫通して配置されるコネクタ（１Ｐ）であって、一部が前記貫通孔から前記非実装面側へ突出し、前記一部に、フレキシブルな接続部材が一端側から前記非実装面と平行な挿入方向に挿入される挿入空間が形成された絶縁性のコネクタ本体と、前記コネクタ本体に固定され且つ前記実装面に半田付けされる半田付け要素と、を備え、前記半田付け要素が、前記挿入空間に挿入された前記接続部材と接続される複数のコンタクトのみで構成され、前記複数のコンタクトが、前記挿入方向と直交する幅方向に交互に配置された第１コンタクト（３Ｑ）と第２コンタクト（３Ｒ）とを含み、前記第１コンタクトが、前記コネクタ本体に固定された第１被固定部（３１Ｑ）と、前記第１被固定部から前記挿入方向と平行に延びる第１リード部（３２Ｑ）と、を含み、前記第２コンタクトが、前記コネクタ本体に固定された第２被固定部（３１Ｒ）と、前記第２被固定部から前記第１リード部とは反対方向に延びる第２リード部（３２Ｒ）と、を含み、前記第１リード部の先端部（３２Ｑｂ）と第２リード部の先端部（３２Ｒｂ）とが、前記実装面において前記挿入方向に関して前記貫通孔の両側に互い違いに半田付けされる、コネクタを提供する。
【０００９】
請求項５に記載の発明のように、請求項１〜４の何れか一項において、前記コネクタ本体は、前記挿入空間に挿入された前記接続部材の一対の側縁（６ｃ）に設けられた係合部（６６）と係合することにより、前記接続部材が前記挿入方向の反対方向である抜脱方向（Ｘ２）へ抜脱されることを規制する一対の抜脱規制突起（２３ｂ）を含み、前記複数のコンタクトが、各前記抜脱規制突起の前記挿入方向側に配置された一対のコンタクト（３ｓ）を含んでいてもよい。
【発明の効果】
【００１０】
請求項１に記載の発明では、回路基板の実装面に半田付けされる半田付け要素が、複数のコンタクトのみで構成される。このため、特許文献１で用いられる取付釘が不要となり、構造を簡素化することができる。また、各コンタクトにおいて、被固定部から延びる一対のリード部の先端部が、実装面において挿入方向に関して貫通孔の両側で半田付けされる。このため、回路基板に対して高い取付強度を達成することができる。
【００１１】
請求項２に記載の発明では、コネクタの組立に際してコンタクトをコネクタ本体に組み付けるときに、コンタクトの被固定部から延びる一対のリード部に邪魔されることなく、被固定部をコネクタ本体の固定溝に圧入固定することができる。このため、コネクタの組立性が向上する。
請求項３に記載の発明では、コネクタ本体の第１介在部と第２介在部とによって、コンタクトが、回路基板の実装面に半田付けされる部分以外で、金属基板と接触することが回避される。
【００１２】
請求項４に記載の発明では、回路基板の実装面に半田付けされる半田付け要素が、複数のコンタクトのみで構成されるので、構造を簡素化することができる。また、複数のコンタクトが、挿入方向と直交する幅方向に交互に配置された第１コンタクト及び第２コンタクトを含み、また、第１コンタクトの第１リード部の先端部と第２コンタクトの第２リード部の先端部とが、実装面において挿入方向に関して貫通孔の両側に互い違いに半田付けされる。このため、回路基板に対して高い取付強度を達成することができる。
【００１３】
請求項５に記載の発明では、抜脱規制突起の挿入方向側にもコンタクトが配置される。このため、スペースの有効利用を図り且つ取付強度を向上することができる。
【図面の簡単な説明】
【００１４】
【図１】図１Ａは、本発明の第１実施形態のコネクタが適用された接続構造の概略斜視図である。図１Ｂは、図１Ａとは別角度からの接続構造の概略斜視図である。
【図２Ａ】図２Ａは、接続構造の平面図である。
【図２Ｂ】図２Ｂは、接続構造の断面図であって、図２ＡのＩＩＢ−ＩＩＢ線に沿って切断された断面図である。
【図３Ａ】図３Ａは、接続部材の平面図である。
【図３Ｂ】図３Ｂは、接続部材の底面図である。
【図３Ｃ】図３Ｃは、接続部材の側面図である。
【図４Ａ】図４Ａは、コネクタの平面図である。
【図４Ｂ】図４Ｂは、コネクタの底面図である。
【図５Ａ】図５Ａは、コネクタの断面図であって、図４ＡのＶＡ−ＶＡ線に沿って切断された断面図である。
【図５Ｂ】図５Ｂは、コネクタの断面図であって、図４ＡのＶＢ−ＶＢ線に沿って切断された断面図である。
【図６】図６は、コンタクトの正面図である。
【図７】図７は、カバーが開放された状態のコネクタの概略斜視図である。
【図８】抜脱規制突起と接続部材の模式的底面図である。
【図９Ａ】本発明の第２実施形態のコネクタの概略平面図である。
【図９Ｂ】第２実施形態のコネクタの断面図であって、図９ＡのＩＸＢ−ＩＸＢ線に沿って切断された断面図である。
【図９Ｃ】第２実施形態のコネクタの断面図であって、図９ＡのＩＸＣ−ＩＸＣ線に沿って切断された断面図である。
【発明を実施するための形態】
【００１５】
以下、本発明を具体化した実施形態を図面に従って説明する。
（第１実施形態）
図１Ａ及び図１Ｂは、本発明の第１実施形態に係るコネクタ１が適用された、コネクタと回路基板の接続構造１００（以下では、単に接続構造１００とも言う）の互いの別角度からの概略斜視図である。図２Ａは、接続構造１００の平面図である。図２Ｂは、接続構造１００の断面図であって、図２ＡのＩＩＢ−ＩＩＢ線に沿って切断された断面図である。図１Ａ及び図１Ｂ、並びに図２Ａ及び図２Ｂに示すように、コネクタ１は、接続部材６と回路基板１０とを接続するためのコネクタである。
【００１６】
回路基板１０は、上面である実装面１１と、下面であって実装面１１の反対側の面である非実装面１２とを備える。回路基板１０には、実装面１１及び非実装面１２を貫通する貫通孔１３が形成されている。
回路基板１０は、図示していないが、アルミニウム等の放熱性に優れた材料により形成された金属基板と、前記金属基板上に積層された絶縁層と、前記絶縁層上に積層された銅箔からなる導電層とを備えている。
【００１７】
回路基板１０の実装面１１には、前記導電層の一部として、半田付けのための一対のランド群１４Ｇ，１５Ｇが配置されている。一対のランド群１４Ｇ，１５Ｇは、実装面１１において貫通孔１３を接続部材６の挿入方向Ｘ１に挟む両側の位置に配置されている。ランド群１４Ｇは、実装面１１上において、挿入方向Ｘ１と直交する幅方向Ｗに並べて配置された多数のランド１４を含む。ランド群１５Ｇは、実装面１１上において、幅方向Ｗに並べて配置された多数のランド１５を含む。
【００１８】
コネクタ１は、コネクタ本体２と、複数のコンタクト３のみで構成される半田付け要素Ｈと、カバー４と、一対の支持具５とを含む。
コネクタ本体２は、絶縁性材料により形成されている。図２Ｂに示すように、コネクタ本体２は、貫通孔１３に挿通されており、コネクタ本体２の一部２ｐが、貫通孔１３を挿通して非実装面１２側へ突出している。コネクタ本体２の一部２ｐには、接続部材６が、その一端６ｅ側から非実装面１２と平行な挿入方向Ｘ１に挿入される挿入空間Ｓ１が形成されている。
【００１９】
半田付け要素Ｈである各コンタクト３は、コネクタ本体２に保持されている。また、図２Ａに示すように、各コンタクト３は、実装面１１に設けられた対応するランド１４，１５に半田付けされる。カバー４は、コネクタ本体２と一対の支持具５とによって、回動可能に支持されている（図７を参照）。図２Ｂに示すように、カバー４は、挿入空間Ｓ１に挿入された接続部材６をコンタクト３の接触部側へ加圧する機能を果たす。
【００２０】
次いで、接続部材６について説明する。図３Ａは、接続部材６の平面図であり、図３Ｂは、接続部材６の底面図であり、図３Ｃは、接続部材６の側面図である。図３Ａ〜図３Ｃを参照して、接続部材６は、ＦＦＣ（フレキシブル・フラット・ケーブル）やＦＰＣ（フレキシブル・プリンテッド・サーキット）などのフレキシブルな平形の接続部材である。本実施形態では、接続部材６がＦＦＣである場合に則して説明する。
【００２１】
接続部材６は、長手方向Ｌに延びている。接続部材６は、上面である第１面６ａと、下面である第２面６ｂと、長手方向Ｌに延びる一対の側縁６ｃと、長手方向Ｌの一端６ｅとを含む。接続部材６は、コネクタ本体２の挿入空間Ｓ１（図２Ｂを参照）に対して一端６ｅ側から長手方向Ｌ（挿入方向Ｘ１に相当）に挿入される。
図３Ａ〜図３Ｃに示すように、接続部材６は、長手方向Ｌに延びる絶縁部６１と複数の導体部６２とを含む。絶縁部６１は、接続部材６の厚み方向Ｔに積層されたベース部６３とカバー部６４と補強板６５と含む。導体部６２は、互いの間に長手方向Ｌ及び厚み方向Ｔと直交する幅方向Ｗに等間隔を隔てて配置されている。カバー部６４は、第１面６ａにおいて各導体部６２の端部が露出するように、ベース部６３及び各導体部６２を覆っている。
【００２２】
補強板６５は、ベース部６３に対してカバー部６４とは反対側に配置されている。補強板６５は、ベース部６３に対して接続部材６の長手方向Ｌの一端６ｅから所定距離までの端部部分に積層され、該端部部分を補強している。
一対の側縁６ｃには、コネクタ本体２に設けられる抜脱規制突起２３ｂ（図７を参照）に対して挿入方向Ｘ１の反対方向である抜脱方向Ｘ２に係合する係合部６６が設けられている。各係合部６６は、一端６ｅから所定距離離隔した位置に配置されており、各係合部６６は、対応する側縁６ｃに形成された切欠き状の溝部６７における、一端６ｅ側の内壁部によって構成されている。溝部６７は、カバー部６４とベース部６３と補強板６５とを厚み方向Ｔに貫通している。
【００２３】
図３Ａに示すように、複数の導体部６２のうち、各側縁６ｃに隣接する導体部６２ｓは、対応する溝部６７によって部分的に狭幅となるように切り欠かれている。すなわち、各導体部６２ｓの一部の幅方向Ｗの幅が、残りの部分の幅方向Ｗの幅よりも狭くされている。
図４Ａは、コネクタ１の平面図であり、図４Ｂは、コネクタ１の底面図である。図５Ａは、コネクタ１の断面図であって、図４ＡのＶＡ−ＶＡ線に沿って切断された断面図である。図５Ｂは、コネクタ１の断面図であって、図４ＡのＶＢ−ＶＢ線に沿って切断された断面図である。図６は、コンタクト３の正面図である。
【００２４】
次いで、コンタクト３について説明する。図２Ａに示すように、複数のコンタクト３は、挿入方向Ｘ１と直交する幅方向Ｗに並んで配置されている。図５Ａ及び図６に示すように、各コンタクト３は、被固定部３１と、一対のリード部３２，３３と、接続部３４と、接触部３５ａを含む第１弾性片部３５と、第２弾性片部３６とを含む。
被固定部３１は、コネクタ本体２に圧入固定される。具体的には、被固定部３１は、略矩形板状に形成されており、上部３１ａと、下部３１ｂと、一対の側部３１ｃ，３１ｄとを有している。各側部３１ｃ，３１ｄに、圧入によりコネクタ本体２に係止される係止突起３１ｅが設けられている。
【００２５】
一対のリード部３２，３３は、被固定部３１の上部３１ａから、挿入方向Ｘ１と平行に（図２Ｂ示すように実装面１１と平行に）、互いに逆向きに延びている。各リード部３２，３３は、被固定部３１と接続された基端部３２ａ，３３ａと、基端部３２ａ，３３ａの反対側の先端部３２ｂ，３３ｂとを含む。先端部３２ｂ，３３ｂは、実装面１１側に向けて突出する凸部に形成されている。一対のリード部３２，３３の先端部３２ｂ，３３ｂが、実装面１１において挿入方向Ｘ１に関して貫通孔１３の両側で対応するランド１４，１５に半田付けされて接続されている。
【００２６】
接続部３４は、被固定部３１の側部３１ｃ側の下部３１ｂから、側部３１ｃと平行に下方に延びている。接続部３４の先端部３４ａから、第１弾性片部３５及び第２弾性片部３６が、二股状に分岐されている。第１弾性片部３５及び第２弾性片部３６は、接続部３４を介して被固定部３１によって片持ち状に支持されている。
第１弾性片部３５は、被固定部３１と第２弾性片部３６との間に配置されている。第１弾性片部３５は、アングル状に形成されて第２弾性片部３６と平行に抜脱方向Ｘ２に延びている。第１弾性片部３５は、先端部又は先端部に近接する位置に、第２弾性片部３６側に向けて突出する山形の１ないし複数の接触部３５ａを有している。
【００２７】
第２弾性片部３６は、接続部３４の先端部３４ａから、挿入方向Ｘ１の反対方向である抜脱方向Ｘ２に延びている。第２弾性片部３６の先端部３６ａは、第１弾性片部３５の接触部３５ａと対向している。
次いで、コネクタ本体２について説明する。図７はコネクタ１の概略斜視図である。図５Ａ、図５Ｂ及び図７を参照して、コネクタ本体２は、上壁部２１と、下壁部２２と、中間壁部２３と、一対の後側側壁部２４と、後壁部２５と、一対の前側側壁部２６と、一対の保持壁部２７と、開放部２８とを含む。
【００２８】
上壁部２１と下壁部２２と中間壁部２３とは、挿入方向Ｘ１に延びる板状をなしている。中間壁部２３は、上壁部２１の下方に連続して設けられている。図７に示すように、中間壁部２３は、案内面２３ａと、一対の抜脱規制突起２３ｂとを含む。案内面２３ａは、中間壁部２３の下面により形成されている。一対の抜脱規制突起２３ｂは、案内面２３ａの前部であって幅方向Ｗの両端の位置に下方に突出するように形成された突起である。
【００２９】
図５Ａ、図５Ｂ及び図７に示すように、中間壁部２３の下面である案内面２３ａと下壁部２２の上面との間に、挿入空間Ｓ１が形成されている。中間壁部２３は下壁部２２よりも前方側（抜脱方向Ｘ２）へ長く形成されている。中間壁部２３の前側部分の下方に、開放部２８が形成されている。開放部２８は、カバー４の回動によって開閉される。
挿入空間Ｓ１は、前方に開放されている。後壁部２５は、上壁部２１から下方に延び中間壁部２３の後部と下壁部２２の後部とを連結している。後壁部２５は挿入空間Ｓ１の後方を閉塞している。
【００３０】
図８に示すように、各抜脱規制突起２３ｂは、挿入空間Ｓ１に挿入された接続部材６の対応する側縁６ｃの溝部６７の係合部６６と係合することにより、接続部材６が抜脱方向Ｘ２に抜脱されることを規制する。また、コンタクト３において幅方向Ｗの両端位置に配置された一対のコンタクト３ｓ（図７も参照）は、対応する抜脱規制突起２３ｂの挿入方向Ｘ１側に配置されている。
【００３１】
図７に示すように、各後側側壁部２４は、上壁部２１から下方に延び、中間壁部２３の対応する側部と下壁部２２の対応する側部とを連結している。一対の後側側壁部２４は、挿入空間Ｓ１の側方を閉塞している。
図５Ａに示すように、上壁部２１を下方に貫通する態様で中間壁部２３および下壁部２２に、各コンタクト３に対応するコンタクト収容部２９が形成されている。コンタクト収容部２９は、中間壁部２３に形成された固定溝２９ａおよび第１弾性片部収容溝２９ｂと、下壁部２２に形成された第２弾性片部収容溝２９ｃとを含む。
【００３２】
固定溝２９ａが、対応するコンタクト３の被固定部３１を回路基板１０の実装面１１側から貫通孔１３に挿入可能なように、実装面１１と直交する直交方向Ｖに関して実装面１１側に開放されている。コンタクト３の被固定部３１の二対の係止突起３１ｅが、固定溝２９ａの内面に圧入係止される。これにより、被固定部３１がコネクタ本体２の固定溝２９ａに固定される。
【００３３】
また、コネクタ本体２は、一対の第１介在部７１，８１と、一対の第２介在部７２，８２とを含む。一対の第１介在部７１，８１は、被固定部３１を挿入方向Ｘ１に挟んで配置され、互いの間に固定溝２９ａを形成する。一方の第１介在部７１は、コネクタ本体２の後壁部２５の一部により形成される。他方の第２介在部７２は、中間壁部２３の前部の一部により形成される。一対の第２介在部７２，８２は、一対の第１介在部７１，８１から実装面１１と平行に互いに逆向きに延びる。
【００３４】
各第１介在部７１，８１が、被固定部３１と貫通孔１３の内周面１３ａとの間に介在する。また、各第２介在部７２，８２が、対応するリード部３２，３３と実装面１１における貫通孔１３の縁部１３ｂとの間に介在する。これにより、コンタクト３が、実装面１１に半田付けされる部分（リード部３２，３３の先端部３２ｂ，３３ｂ）以外で、回路基板１０を構成する金属基板と接触することが回避され、絶縁性が確保される。
【００３５】
第１弾性片部収容溝２９ｂには、第１弾性片部３５が収容される。第１弾性片部収容溝２９ｂは、開放部２８側と連通されており、自由状態の第１弾性片部３５の接触部３５ａは、第１弾性片部収容溝２９ｂから開放部２８側へ突出され、挿入空間Ｓ１に臨んでいる。
第２弾性片部収容溝２９ｃは、開放部２８側と連通されている。第２弾性片部３６の先端部３６ａは、第２弾性片部収容溝２９ｃから開放部２８側に突出し、カバー４と係合されている。図５Ａ及び図５Ｂに示すように、閉じ位置にあるカバー４と中間壁部２３との間に、挿入空間Ｓ１への挿入路Ｓ２が区画形成される。
【００３６】
図７に示すように、一対の前側側壁部２６は、中間壁部２３の前側の一対の側部から下方に延設されている。一対の保持壁部２７は、一対の前側側壁部２６の延設端２６ａから互いに近づくように内向きに突出している。
次いで、図７を参照して、カバー４について説明する。カバー４は、カバー本体４１と、一対の支軸４２と、一対の突起部４３とを含む。カバー本体４１は、幅方向Ｗに長い矩形形状をなす。カバー本体４１は、矩形の長辺部である基端部４１ａ及び先端部４１ｂと、内面４１ｃと、外面４１ｄと、一対の側面４１ｅとを含む。
【００３７】
カバー本体４１の基端部４１ａに形成された挿通孔４１ｆに、コンタクト３の第２弾性片部３６の先端部が挿入されている。
一対の支軸４２は、基端部４１ａにおける一対の側面４１ｅから幅方向Ｗの両側に突出する円柱軸である。各支軸４２は、コネクタ本体２の対応する後側側壁部２４と支持具５との保持溝の内面により形成される回動支持部によって、回動可能に支持されている。
【００３８】
すなわち、カバー４のカバー本体４１は、図７に示すように、コネクタ本体２の中間壁部２３から起立する状態で、開放部２８を開放させる。また、カバー４のカバー本体４１は、図５Ｂに示すように、中間壁部２３と略平行になる状態で、開放部２８を閉じる。閉じ状態のカバー本体４１は、コンタクト３の第２弾性片部３６により第１弾性片部３５側に付勢される。このため、図２Ｂに示すように、接続部材６を第１弾性片部３５の接触部３５ａ側に加圧する機能を果たす。
【００３９】
本実施形態によれば、回路基板１０の実装面１１に半田付けされる半田付け要素Ｈが、複数のコンタクト３のみで構成される。このため、特許文献１で用いられる取付釘が不要となり、構造を簡素化することができる。また、図５Ａに示すように、各コンタクト３において、被固定部３１から延びる一対のリード部３２，３３の先端部３２ｂ，３３ｂが、実装面１１において挿入方向Ｘ１に関して貫通孔１３の両側で半田付けされる。このため、回路基板１０に対して高い取付強度を達成することができる。
【００４０】
また、コネクタ本体２の各固定溝２９ａが、対応するコンタクト３の被固定部３１を実装面１１側から貫通孔１３に挿入可能なように、実装面１１と直交する直交方向Ｖに関して実装面１１側に開放されている。このため、コネクタ１の組立に際してコンタクト３をコネクタ本体２に組み付けるときに、コンタクト３の被固定部３１から延びる一対のリード部３２，３３に邪魔されることなく、被固定部３１をコネクタ本体２の固定溝２９ａに圧入固定することができる。このため、コネクタ１の組立性が向上する。
【００４１】
また、絶縁性のコネクタ本体２に設けられた第１介在部７１，８１と第２介在部７２，８２とによって、コンタクト３が、回路基板１０の実装面１１に半田付けされる部分（リード部３２，３３の先端部３２ｂ，３３ｂ以外で、回路基板１０を構成する金属基板と接触することが回避される。これにより、金属基板に対する絶縁性を確保することができる。
【００４２】
また、図７及び図８に示すように、複数のコンタクト３において幅方向Ｗの両端位置に配置された一対のコンタクト３ｓは、対応する抜脱規制突起２３ｂの挿入方向Ｘ１側に配置されている。このため、スペースの有効利用を図り且つ取付強度を向上することができる。
（第２実施形態）
図９Ａは、本発明の第２実施形態のコネクタ１Ｐの概略平面図である。図９Ｂは、コネクタ１Ｐの断面図であって、図９ＡのＩＸＢ−ＩＸＢ線に沿って切断された断面図である図９Ｃは、コネクタ１Ｐの断面図であって、図９ＡのＩＸＣ−ＩＸＣ線に沿って切断された断面図である。
【００４３】
図９Ａ〜図９Ｂを参照して、第２実施形態のコネクタ１Ｐが第１実施形態のコネクタ１と主に異なるのは、下記である。すなわち、コネクタ１Ｐでは、半田付け要素Ｈを構成するコンタクトが、挿入方向Ｘ１と直交する幅方向Ｗに交互に配置された第１コンタクト３Ｑと第２コンタクト３Ｒとを含む。
第１コンタクト３Ｑが、コネクタ本体２に固定された第１被固定部３１Ｑと、第１被固定部３１Ｑから挿入方向Ｘ１及び抜脱方向Ｘ２の一方（本実施形態では、抜脱方向Ｘ２）に延びる第１リード部３２Ｑとを含む。第１コンタクト３Ｑは、コネクタ本体２に対して挿入方向Ｘ１に沿って組み付けられる。
【００４４】
第２コンタクト３Ｒが、コネクタ本体２に固定された第２被固定部３１Ｒと、第２被固定部３１Ｒから第１リード部３２Ｑとは反対方向である挿入方向Ｘ１に延びる第２リード部３２Ｒとを含む。第２コンタクト３Ｒは、コネクタ本体２に対して抜脱方向Ｘ２に沿って組み付けられる。
第１リード部３２Ｑの先端部３２Ｑｂと第２リード部３２Ｒの先端部３２Ｑｂとが、実装面１１において挿入方向Ｘ１に関して貫通孔１３の両側に互い違いに半田付けされる。
【００４５】
図９Ａ〜図９Ｃの第２実施形態の構成要素において、第１実施形態の構成要素と同じ構成要素には、共通の参照符号が付されている。
第２実施形態によれば、回路基板１０の実装面１１に半田付けされる半田付け要素Ｈが、複数のコンタクト３Ｑ，３Ｒのみで構成されるので、構造を簡素化することができる。また、複数のコンタクトが、挿入方向Ｘ１と直交する幅方向Ｗに交互に配置された第１コンタクト３Ｑ及び第２コンタクト３Ｒを含み、また、第１コンタクト３Ｑの第１リード部３２Ｑの先端部３２Ｑｂと第２コンタクト３Ｒの第２リード部３２Ｒの先端部３２Ｒｂとが、実装面１１において挿入方向Ｘ１に関して貫通孔１３の両側に互い違いに半田付けされる。このため、回路基板１０に対して高い取付強度を達成することができる。
【００４６】
本発明は、前記実施形態に限定されるものではなく、図示していないが、接続部材６の側縁６ｃに隣接する導体部６２ｓが、抜脱規制突起２３ｂの挿入方向Ｘ１側に回り込むようにクランク状に形成されてもよい。また、抜脱規制突起２３ｂの挿入方向Ｘ１側にコンタクトが配置されなくてもよい。その他、本発明は、特許請求の範囲記載の範囲内で種々の変更を施すことができる。
【符号の説明】
【００４７】
１；１Ｐ  コネクタ
２    コネクタ本体
２ｐ  一部
３；３ｓ  コンタクト（半田付け要素）
３Ｑ  第１コンタクト（半田付け要素）
３Ｒ  第２コンタクト（半田付け要素）
６    接続部材
６ｃ  側縁
６ｅ  一端
１０  回路基板
１１  実装面
１２  非実装面
１３  貫通孔
１３ａ  内周面
１３ｂ  縁部
２３ｂ  抜脱規制突起
２９ａ  固定溝
３１；３１Ｑ；３１Ｒ  被固定部
３２；３３  リード部
３２ｂ；３３ｂ  先端部
３２Ｑ    第１リード部
３２Ｒ    第２リード部
３２Ｑｂ；３２Ｒｂ  先端部
６６    係合部
７１；８１  第１介在部
７２；８２  第２介在部
Ｈ    半田付け要素
Ｓ１  挿入空間
Ｘ１  挿入方向
Ｘ２  抜脱方向
【図１】
2019128984.tif 000003
【図２Ａ】
2019128984.tif 000004
【図２Ｂ】
2019128984.tif 000005
【図３Ａ】
2019128984.tif 000006
【図３Ｂ】
2019128984.tif 000007
【図３Ｃ】
2019128984.tif 000008
【図４Ａ】
2019128984.tif 000009
【図４Ｂ】
2019128984.tif 000010
【図５Ａ】
2019128984.tif 000011
【図５Ｂ】
2019128984.tif 000012
【図６】
2019128984.tif 000013
【図７】
2019128984.tif 000014
【図８】
2019128984.tif 000015
【図９Ａ】
2019128984.tif 000016
【図９Ｂ】
2019128984.tif 000017
【図９Ｃ】
2019128984.tif 000018